(57)【要約】【課題】  ファクシミリモードと電話モードの切り換えなどの複数の着信モードを選択的に設定可能なデータ通信装置において、より一層の節電効果を有する省エネルギー機能付きのデータ通信装置を提供する。【解決手段】  待機状態で消費電力を節減する省エネルギー機能付きファクシミリ装置において、着信モードを設定する着信モード設定部２と、上記設定された着信モードの種別に応じて、予め設定した所定の信号を省エネルギー状態の解除を行なう省エネルギー解除信号とするか否かを決定する節電制御部３とを設けたことにより、例えば、上記着信モードとしてファクシミリモードが設定された場合は呼出信号によって省エネルギー状態を解除し、着信モードが電話モードの場合は呼出信号によって省エネルギー状態を解除しないように制御する。【選択図】        図１
2006217647.tif 000002
【特許請求の範囲】
【請求項１】
待機状態で消費電力を節減するデータ通信装置において、
着信モードを設定する着信モード設定部と、前記着信モード設定部によって設定された着信モードの種別に応じて、予め定めた所定の信号を省エネルギー状態の解除を行なう省エネルギー解除信号とするか否かを決定する節電制御部とを備えたことを特徴とするデータ通信装置。
【請求項２】
請求項１記載のデータ通信装置において、
前記節電制御部に、着信モードがファクシミリモードの場合は呼出信号を省エネルギー解除信号と判断し、着信モードが電話モードの場合は前記呼出信号を省エネルギー解除信号と判断しないように動作する手段を設けたことを特徴とするデータ通信装置。
【請求項３】
請求項２記載のデータ通信装置において、
前記節電制御部に、ファクシミリ受信の場合は画像読取部に対する省エネルギー状態の解除を禁止する手段を設けたことを特徴とするデータ通信装置。
【請求項４】
請求項２記載のデータ通信装置において、
前記節電制御部に、ファクシミリ受信の場合はメモリ受信可能か否かを判断して、メモリ受信可能なときはメモリ受信すると共に画像印刷部に対する省エネルギー状態の解除を禁止する手段を設けたことを特徴とするデータ通信装置。
【請求項５】
請求項２記載のデータ通信装置において、
前記節電制御部に、前記省エネルギー状態の解除後、電話モードへの切り換えがあったときには前記省エネルギー状態に戻す手段を設けたことを特徴とするデータ通信装置。
【発明の詳細な説明】
【技術分野】
【０００１】
この発明は、例えば、ファクシミリ機能と電話機能を切り換えて使用する際に待機状態で消費電力を節減することにより、消費電力の節減効果を向上した省エネルギー機能付きファクシミリ装置等のデータ通信装置に関する。
【背景技術】
【０００２】
携帯型のファクシミリ装置に限らず、設置型のファクシミリ装置においても、時代の要請を受けて省エネルギー機能を備えたファクシミリ装置が普及しつつある。このようなファクシミリ装置のデータ通信装置では、送信や受信を行なわない待機状態においては、必要最小限の部品や回路にのみ電力を供給し、その他の回路への電力を遮断することによって、消費電力を節減するようになっている。
【０００３】
例えば、特許文献１に示されたファクシミリ装置では、待機状態においては、上記のような省エネルギー状態となり、着呼時の呼出信号や送信時の送信命令信号を検出することによって省エネルギー状態から解除するようにしている。
従来、（例えば、特許文献１，非特許文献１参照）があった。
【特許文献１】特開平５−２６０２２９号公報
【発明の開示】
【発明が解決しようとする課題】
【０００４】
しかしながら、上記特許文献１に示された従来のファクシミリ装置では、ファクシミリ装置が受信モードとしてファクシミリモードと電話モードを有し、いずれか一方の受信モードを選択的に使用するような場合、呼出信号を受信すると、電話モードであっても省エネルギー状態を解除してしまうので、電話モードにおいては使用しない画像形成装置等の大電力を消費する回路にも電力が投入されて、不要な電力を消費してしまうという問題があった。
また、不要な電力投入が頻繁に繰り返されると、露光ランプや発熱体の消耗が早くなり、装置の寿命が短くなる原因にもなっていた。
【０００５】
この発明は上記の点に鑑みてなされたものであり、複数の着信モードが選択的に設定されるようなデータ通信装置において、より一層の節電効果を有した省エネルギー機能付きのデータ通信装置を提供することを目的としている。
【課題を解決するための手段】
【０００６】
この発明は上記目的を達成するため、待機状態で消費電力を節減するデータ通信装置において、着信モードを設定する着信モード設定部と、上記着信モード設定部によって設定された着信モードの種別に応じて、予め定めた所定の信号を省エネルギー状態の解除を行なう省エネルギー解除信号とするか否かを決定する節電制御部を備えたデータ通信装置を提供する。
【０００７】
また、上記節電制御部に、着信モードがファクシミリモードの場合は呼出信号を省エネルギー解除信号と判断し、着信モードが電話モードの場合は上記呼出信号を省エネルギー解除信号と判断しないように動作する手段を設けるとよい。
【０００８】
さらに、上記節電制御部に、ファクシミリ受信の場合は画像読取部に対する省エネルギー状態の解除を禁止する手段を設けるとよい。
また、上記節電制御部に、ファクシミリ受信の場合はメモリ受信可能か否かを判断して、メモリ受信可能なときはメモリ受信すると共に画像印刷部に対する省エネルギー状態の解除を禁止する手段を設けるとよい。
さらに、上記節電制御部に、上記省エネルギー状態の解除後、電話モードへの切り換えがあったときには上記省エネルギー状態に戻す手段を設けるとよい。
【０００９】
この発明のデータ通信装置によれば、省エネルギー状態解除信号と定めた所定の信号を検出した際、そのとき設定されているモードに必要な場合にのみ、省エネルギー状態を解除し、その必要がない場合は省エネルギー状態を解除することなく維持することが可能となる。
【００１０】
また、呼出信号を省エネルギー解除信号と設定し、その信号を受信したとき、着信モードがファクシミリモードの場合はファクシミリ受信に係る部分の給電を遮断した省エネルギー状態を解除し、電話モードの場合は上記省エネルギー状態を解除しないように制御すれば、電話モードにおいては起動不要なファクシミリ受信に係る画像形成装置ブロック等の部分への電源投入を防止して、電力を無駄に消費しないようにすることができる。
さらに、ファクシミリ受信の場合は画像読取部に対する省エネルギー状態の解除を禁止するようにすれば、ファクシミリ受信に係る部分のみに給電を再開してその他の起動不要な画像読取部等の部分への電源投入を防止し、より節電効果を高めることができる。
【００１１】
また、ファクシミリ受信の場合はメモリ受信用のメモリの空き容量が有るか否かでメモリ受信可能か否かを判断して、その空き容量が有ってメモリ受信可能なときはメモリ受信すると共に画像印刷部に対する省エネルギー状態の解除を禁止するようにすれば、ファクシミリ受信の度に画像印刷部を立ち上げて電力を浪費せずに済み、より節電効果を高めることができる。
【００１２】
さらに、ファクシミリモード時に着信が有ってファクシミリ受信に係る部分に対する省エネルギー状態を解除後、送受話器がオフフックされるなどによって電話モードへの切り換えがあったときには再び省エネルギー状態に戻すようにすれば、相手先からの電話通話のときにはただちにファクシミリ受信に係る部分に対して給電を遮断して省エネルギー状態を再開できるので、より節電効果を高めることができる。
【発明の効果】
【００１３】
この発明のデータ通信装置は、例えば、回線から呼出信号を受けたとき、着信モードがファクシミリモードの場合は省エネルギー状態を解除し、電話モードの場合は上記状態を解除しないように制御することが可能になるので、ファクシミリモードと電話モードを切り換えて使用するような場合、電話モードの際、呼出信号によって、省エネルギー状態が解除されることがないので、露光ランプや像形成に必要な発熱体等、比較的大電力を必要とする部分への電力供給をしないので、不要な消費電力の増大を防止し、より一層の節電効果を上げることができる。
また、不要な電力投入による装置の動作がなくなり、装置の消耗、特に、露光ランプや発熱体の消耗が少なくなり、装置の使用寿命を長くする効果も期待できる。
【発明を実施するための最良の形態】
【００１４】
以下、この発明を実施するための最良の形態を図面に基づいて具体的に説明する。
図１は、この発明のデータ通信装置の一実施形態であるファクシミリ装置の構成を示すブロック図である。
このファクシミリ装置は、ＣＰＵ，ＲＯＭ，及びＲＡＭ等からなるマイクロコンピュータを内蔵し、ＲＯＭに内蔵されたプログラムに従って装置全体を管理及び制御すると共に、この発明に係る省エネルギー機能の制御処理も行なう制御部１を備えている。
【００１５】
その制御部１は、この発明に係る省エネルギー機能の着信モードを設定及び記憶する着信モード設定部２と、その着信モードに対応して所定の信号を省エネルギー解除信号と判断するか否かを決定するこの発明に係る省エネルギー機能の制御を行なう節電制御部３と、ファクシミリ送受信する画情報を格納する画像メモリであるメモリ１５等の機能部を有する。
【００１６】
また、操作者がファクシミリ装置に指示を与えるためのキーボードや、ファクシミリ装置から操作者にメッセージ等を与えるためのＬＣＤ等の表示手段などからなる操作表示部７を備えている。
その操作表示部７は省電力操作部８を有し、その省電力操作部８は操作者によって省エネルギー状態を解除するためのキー入力部であり、その入力を検出したときには検出信号を制御部１の節電制御部３へ送る。
【００１７】
さらに、原稿の画像を光学的に読み取るスキャナ等の画像読取装置である読取部９と、ファクシミリ受信画情報などを記録紙に出力するレーザプリンタ，インクジェットプリンタ等の印刷装置である記録部１１を備えている。
【００１８】
また、公衆電話（回線）網を介して遠隔のファクシミリ装置との間に呼を設定するための網制御部（ＮＣＵ）４を備えている。
その網制御部４は呼出信号検出部５を有し、その呼出信号検出部５は回線からの呼出信号の受信を検出して制御部１の節電制御部３へ通知する。
【００１９】
さらに、Ｇ３伝送手順に従ってファクシミリ送受信を行なう通信制御部および符号化復号化部（ＤＣＲ）などを含む電装部１２と、ファクシミリ送受信時の信号の変調及び復調を行なうモデム６も備えている。
【００２０】
さらにまた、電源部１３の入力側は商用電源などに接続されており、その商用電源等の電源から電力の供給を受けてこのファクシミリ装置の各部への電力供給源となる電源部１３と、節電制御部３による制御によって上記網制御部４，モデム６，操作表示部７，読取部９，記録部１１，電装部１２に対して電源部１３による電力を供給又はその供給を遮断する電源切換部１４などを備えている。
なお、このファクシミリ装置の電源投入後は、上記呼出信号検出部５，省電力操作部８，原稿検知部１０に対して電源部１３から常時電力供給がされる。
【００２１】
すなわち、上記節電制御部３が、着信モード設定部２によって設定された着信モードの種別に応じて、予め定めた所定の信号を省エネルギー状態の解除を行なう省エネルギー解除信号とするか否かを決定する。
【００２２】
また、節電制御部３は、着信モードがファクシミリモードの場合は呼出信号を省エネルギー解除信号と判断し、着信モードが電話モードの場合は呼出信号を省エネルギー解除信号と判断しないように動作する手段の機能も果たす。
【００２３】
さらに、節電制御部３は、ファクシミリ受信の場合は画像読取部である読取部９に対する省エネルギー状態の解除を禁止する手段の機能と、ファクシミリ受信の場合はメモリ受信可能か否かを判断して、メモリ受信可能なときはメモリ受信すると共に画像印刷部である記録部１１に対する省エネルギー状態の解除を禁止する手段と、省エネルギー状態の解除後、電話モードへの切り換えがあったときには省エネルギー状態に戻す手段の各機能も果たす。
【００２４】
このファクシミリ装置においてファクシミリ送信する場合は、まず制御部１の制御に従って読取部９を介して原稿等の画情報をメモリ１５に読み込み、その画情報は電装部１２のＤＣＲによって圧縮され再びメモリ１５に格納される。
【００２５】
また、操作表示部７によって指定された宛先などの発呼時指定情報が制御部１によって取得され、宛先情報を渡されたＮＣＵ４は指定の宛先との間に呼を設定する。それに続いて、電装部１２の通信制御部によってモデム６を介してフェーズＢが実行された後にフェーズＣに移行し、メモリ１５内の上記圧縮された画情報データがモデム６によって変調されてＮＣＵ４を介して送出される。
【００２６】
通常の受信時は、ＮＣＵ４によって呼が設定された後にフェーズＢに移行し、モデム６を介して所定の交信が行われ、フェーズＣにおいて圧縮された画情報データを受信する。
その画情報データは、ＮＣＵ４及び、電装部１２の通信制御部を介してメモリ１５に格納され、さらに電装部１２のＤＣＲによって伸長され、メモリ１５を介して記録部１１に出力される。
【００２７】
メモリ受信時には、ＮＣＵ４によって呼が設定された後にフェーズＢに移行し、モデム６を介して所定の交信が行われ、フェーズＣにおいて圧縮された画情報データを受信し、その画情報データはＮＣＵ４及び、電装部１２の通信制御部を介してメモリ１５に格納される。
そして、操作表示部７からの指示入力などによってメモリ１５に格納された画情報データを読み出し、電装部１２のＤＣＲによって伸長し、メモリ１５を介して記録部１１に出力される。
【００２８】
制御部１がファクシミリ送信やファクシミリ受信などを実行していない待機状態にあるとき、上記節電制御部３は電源切換部１４を切断状態にし、電源部１３は省電電源線ｂによって制御部１，網制御部４内の呼出信号検出部５，操作表示部７内の省電力操作部８，読取部９内の原稿検知部１０にのみ電源を供給する。
【００２９】
そして、省エネルギー解除信号として設定した所定の信号を受信した際、その信号に応じて電源切換部１４の主電源線ａ，省電電源線ｃ，又は省電電源線ｄを接続状態にして、主電源線ａを介して網制御部４，モデム６，操作表示部７，電装部１２に電源電力を供給し、省電電源線ｃを介して読取部９に、省電電源線ｄを介して記録部１１にそれぞれ電源電力を供給する。
【００３０】
即ち、待機状態では制御部１の他、待機状態（省エネルギー状態）を解除する上で必要最小限の部品や回路にのみ電源を供給しておき、待機状態の解除に際しては電源を必要とする全ての部品や回路に電源を供給するように制御する。
【００３１】
上記着信モード設定部２によって設定・記憶される着信モードとしては、例えばファクシミリモード，電話モードなどがある。
この実施形態のファクシミリ装置ではモード切り換えによってファクシミリ装置としても、電話機としても使用できる場合を例示している。
【００３２】
例えば、電源投入時に自動的にファクシミリモードに設定され、利用者が操作表示部７を介して指示することによって電話モードなどに設定される。
あるいは、電源投入時に自動的に１日の中のある時間帯をファクシミリモードに設定し、他の時間帯を電話モードに設定することも可能である。
【００３３】
次に、このファクシミリ装置における処理について説明する。
図２はファクシミリ装置の主要部の省エネルギー処理に関する動作を示すフローチャートである。なお、図中の「Ｓ」はステップを示す。
以下、図１及び図２を参照しながら上記実施例の動作を説明する。このファクシミリ装置は省エネルギー状態に設定されているものとする（Ｓ１）。
その状態において、制御部１内の節電制御部３によって省エネ解除トリガ信号を検出したか否かを判断して省エネ解除トリガ信号の有無を監視し、省エネ解除トリガ信号を検出したか否かを判断する（Ｓ２）。
【００３４】
この省エネ解除トリガ信号は、例えば、網制御部４内の呼出信号検出部５が回線から呼出信号を受信したことによって送信した信号か、省電力操作部８がキー押下などによって発生した信号を検出して送出した信号か、あるいは読取部９の原稿検知部１０が原稿の載置を検知して送出した信号である。
上記節電制御部３は、受信した信号中に上記いずれかの省エネ解除トリガ信号を検出すると、先ずそれが呼出信号によるトリガ信号であるか否かを判定する（Ｓ３）。
【００３５】
その結果、呼出信号でない場合は、節電制御部３によって切断状態にあった電源切換部１４の主電源線ａと省電電源線ｃとｄをそれぞれ接続状態にし、網制御部４，モデム６，操作表示部７，読取部９，記録部１１，及び電装部１２への給電を再開し、省エネルギー状態を解除する（Ｓ７）。
【００３６】
一方、上記ステップ３において、判定結果が呼出信号の場合は、節電制御部３によって制御部１内の着信モード設定部２に記憶されている着信モードを参照し、着信モードがＴＥＬモード（電話モード）か否かを判断して（Ｓ４）、ＴＥＬモードでない場合は、節電制御部３によって切断状態にあった電源切換部１４の主電源線ａと省電電源線ｄをそれぞれ接続状態にし、網制御部４，モデム６，操作表示部７，記録部１１，及び電装部１２への給電を再開し、電源切換部１４の省電電源線ｃは切断したままで読取部９への電源供給停止の解除を禁止し、読取部９以外の省エネルギー状態を解除する（Ｓ６）。
【００３７】
また、上記ステップＳ４で着信モードがＴＥＬモードの場合は、制御部１内のＲＡＭにセットされたトリガ信号検出フラグをリセットし（Ｓ５）、省エネルギー状態を継続し、引き続き省エネ解除トリガ信号の監視を行なう（Ｓ２）。即ち、電話モードの場合は呼出信号を省エネルギー解除信号と判定しない。
【００３８】
なお、省エネルギー状態が解除されると（Ｓ７）、通常状態に移行して（Ｓ８）、ファクシミリの送信，受信，又はコピーなどの画像形成処理が実行される。
そして、それらの処理の実行が完了すると、それぞれの実行プログラムの最後に、節電制御部３に完了通知が与えられ、それによって節電制御部３は電源切換部１４を切断状態にし、再び省エネルギー状態（Ｓ１）に戻る。
【００３９】
また、このファクシミリ装置では省エネルギー状態のときにファクシミリ受信した画情報をメモリ受信して電力消費を節約することもできる。次に、その処理について説明する。
図３はこのファクシミリ装置の主要部におけるその処理動作を示すフローチャートである。
【００４０】
この処理は、省エネルギー状態時（Ｓ１１）、制御部１内の節電制御部３によって省エネ解除トリガ信号を検出したか否かを判断して省エネ解除トリガ信号の有無を監視して、省エネ解除トリガ信号を検出したか否かを判断（Ｓ１２）して、それが呼出信号によるトリガ信号であるか否かを判定する（Ｓ１３）。
その判定結果が呼出信号でない場合は、節電制御部３によって切断状態にあった電源切換部１４の主電源線ａと省電電源線ｃとｄをそれぞれ接続状態にして、網制御部４，モデム６，操作表示部７，読取部９，記録部１１，及び電装部１２への給電を再開し、省エネルギー状態を解除する（Ｓ１７）。
【００４１】
一方、上記ステップ１３において、判定結果が呼出信号の場合は、節電制御部３によって制御部１内の着信モード設定部２に記憶されている着信モードを参照し、着信モードがＴＥＬモード（電話モード）か否かを判断して（Ｓ１４）、ＴＥＬモードでなければメモリ１５内のメモリ受信用のメモリの容量に空きが有るか否かをチェックして（Ｓ１６）、空きメモリ容量が予め設定した閾値より多いか否かを判断する（Ｓ１８）。
【００４２】
ステップ１８で空きメモリ容量が閾値以下ならば、節電制御部３によって切断状態にあった電源切換部１４の主電源線ａと省電電源線ｄをそれぞれ接続状態にして、網制御部４，モデム６，操作表示部７，記録部１１，及び電装部１２への給電を再開し、電源切換部１４の省電電源線ｃは切断したままで読取部９への電源供給停止の解除を禁止して、読取部９以外の省エネルギー状態を解除する（Ｓ２１）。
【００４３】
また、ステップ１８で空きメモリ容量が閾値より多ければ、節電制御部３によって切断状態にあった電源切換部１４の主電源線ａを接続状態にし、網制御部４，モデム６，操作表示部７，及び電装部１２への給電を再開し、電源切換部１４の省電電源線ｃとｄは切断したままで読取部９及び記録部１１への電源供給停止の解除を禁止し、読取部９及び記録部１１以外の省エネルギー状態を解除し（Ｓ１９）、メモリ受信を設定する（Ｓ２０）。
【００４４】
一方、上記ステップ１４の判断において着信モードがＴＥＬモードの場合、制御部１内のＲＡＭにセットされたトリガ信号検出フラグをリセットし（Ｓ１５）、省エネルギー状態を継続して、引き続き省エネ解除トリガ信号の監視を行ない、省エネ解除トリガ信号を検出したか否かを判断する（Ｓ１２）。即ち、電話モードの場合は呼出信号を省エネルギー解除信号と判定しないのである。
【００４５】
そして、省エネルギー状態が解除されると（Ｓ１７，Ｓ１９，Ｓ２１）、通常状態に移行し（Ｓ２２）、ファクシミリの送信，受信，コピー，メモリ受信などの処理が実行される。
そして、それらの処理の実行が完了すると、それぞれの実行プログラムの最後に、節電制御部３に完了通知が与えられ、それによって節電制御部３は電源切換部１４を切断状態にし、再び省エネルギー状態（Ｓ１１）に戻る。
【００４６】
さらに、このファクシミリ装置ではファクシミリモードのときに着信して省エネルギー状態を解除した場合、相手先からの電話通話のときには再びファクシミリ受信に関する部分の給電を停止して省エネルギー状態に戻し、電力消費を節約することもできる。次に、その処理について説明する。
図４はこのファクシミリ装置の主要部におけるその処理動作を示すフローチャートである。
【００４７】
この処理は、省エネルギー状態時（Ｓ３１）、制御部１内の節電制御部３によって省エネ解除トリガ信号を検出したか否かを判断して省エネ解除トリガ信号の有無を監視して、省エネ解除トリガ信号を検出したか否かを判断して（Ｓ３２）、それが呼出信号によるトリガ信号であるか否かを判定する（Ｓ３３）。
その判定結果が呼出信号でない場合は、節電制御部３によって切断状態にあった電源切換部１４の主電源線ａと省電電源線ｃとｄをそれぞれ接続状態にし、網制御部４，モデム６，操作表示部７，読取部９，記録部１１，及び電装部１２への給電を再開し、省エネルギー状態を解除する（Ｓ３７）。
【００４８】
一方、上記ステップ３３の判定結果が呼出信号の場合は、節電制御部３によって制御部１内の着信モード設定部２に記憶されている着信モードを参照し、着信モードがＴＥＬモード（電話モード）か否かを判断して（Ｓ３４）、ＴＥＬモードでなければ節電制御部３によって切断状態にあった電源切換部１４の主電源線ａと省電電源線ｄをそれぞれ接続状態にし、網制御部４，モデム６，操作表示部７，記録部１１，及び電装部１２への給電を再開し、電源切換部１４の省電電源線ｃは切断したままで読取部９への電源供給停止の解除を禁止し、読取部９以外の省エネルギー状態を解除する（Ｓ３６）。
【００４９】
そして、操作者によって送受話器（ハンドセット）がＯＦＦフックされたか否かによってＴＥＬモード（電話モード）に切り換え有りか否かを判断して（Ｓ３８）、切り換え無しなら通常状態に移行し（Ｓ４０）、切り換え有りなら節電制御部３によって接続状態にあった電源切換部１４の主電源線ａと省電電源線ｄをそれぞれ切断状態にし、網制御部４，モデム６，操作表示部７，記録部１１，及び電装部１２への給電を停止し、再び省エネルギー状態に戻し（Ｓ３９）、引き続き省エネ解除トリガ信号の監視を行ない、省エネ解除トリガ信号を検出したか否かを判断する（Ｓ３２）。
【００５０】
また、上記ステップＳ３４の判断で着信モードがＴＥＬモードの場合は、制御部１内のＲＡＭにセットされたトリガ信号検出フラグをリセットし（Ｓ３５）、省エネルギー状態を継続し、引き続き省エネ解除トリガ信号の監視を行なう（Ｓ３２）。
【００５１】
以上の説明では、呼出信号を省エネルギー解除信号として設定し、この信号を受信した際に、そのとき設定されていた受信モードによって上記呼出信号を、省エネルギー解除信号と判断する場合と、省エネルギー解除信号と判断せずに処理する場合を例示したが、受信モードによって、同一信号を省エネルギー解除信号として判断するか否かの扱いを変える例としては、上記の呼出信号に限定されない。
【００５２】
例えば、受信モードとして、留守録モードなどを設定し、留守録を行なうか否かを示す回線からの信号に基づき、留守録を行なわない場合は省エネルギー状態を維持し、留守録を行なう場合は、省エネルギー状態を解除するか、あるいは、外部記録装置など一部の周辺装置（図示していない）のみを省エネルギー状態から解除する準省エネルギー状態とすることも可能である。
【図面の簡単な説明】
【００５３】
【図１】この発明のデータ通信装置の一実施形態であるファクシミリ装置の構成を示すブロック図である。
【図２】図１に示したファクシミリ装置の主要部の省エネルギー処理に関する動作を示すフローチャートである。
【図３】図１に示したファクシミリ装置の主要部の省エネルギー処理に関する他の動作を示すフローチャートである。
【図４】図１に示したファクシミリ装置の主要部の省エネルギー処理に関するさらに他の動作を示すフローチャートである。
【符号の説明】
【００５４】
１：制御部    ２：着信モード設定部    ３：節電制御部    ４：網制御部    ５：呼出信号検出部    ６：モデム    ７：操作表示部    ８：省電力操作部    ９：読取部    １０：原稿検知部    １１：記録部    １２：電装部    １３：電源部    １４：電源切換部    １５：メモリ
【図１】
2006217647.tif 000003
【図２】
2006217647.tif 000004
【図３】
2006217647.tif 000005
【図４】
2006217647.tif 000006